(57)【特許請求の範囲】
【請求項１】
キャビネット本体の天板を形成するカウンターの前面に対向してサポートバーが横設されたキャビネットにおいて、サポートバーに対して上下に回動自在としたロック装置がサポートバーとカウンターとの間に介設され、ロック装置はカウンターの前面に当接可能な当接部を有し、ロック装置を横に倒した時、当接部がカウンターの前面に当接し、サポートバーとカウンターとの間で押圧されて、サポートバーがロックされ、ロック装置を起こすと、当接部がカウンターの前面に接触せず、サポートバーのロックが解除されることを特徴とするキャビネット。
【請求項２】
当接部が弾性を有している請求項１記載のキャビネット。
【発明の詳細な説明】
【技術分野】
【０００１】
本願発明は、厨房装置、洗面化粧台などとして用いられる、サポートバーを上端部前方に備えたキャビネットに関する。
【背景技術】
【０００２】
厨房装置、洗面化粧台などに用いられるキャビネットには、上端部前方にサポートバーを備えたものがある（たとえば、特許文献１）。サポートバーは、調理、洗顔などの諸作業を行う際の体のもたれかけ、座位から立位に体位を変える際の手がかり、さらに手摺りなどとして機能するものであり、体重を受けることができるようにしている。このようなサポートバーは、一般に、キャビネット本体の天板を形成するカウンターの前面に対向して横設されている。
【特許文献１】特開２００３−１６９７２２号公報
【発明の開示】
【発明が解決しようとする課題】
【０００３】
作業者の体重を受けることができるように、サポートバーには、ロック手段によってキャビネット本体から容易に外れないようにするなどの配慮がなされているが、それでもサポートバー自体やキャビネット本体の製造のばらつきなどによって、ロック手段の周辺に隙間などが生ずる場合には、サポートバーがロックされず、脱落したり、横滑りしたりすることがあった。
【０００４】
本願発明は、このような事情に鑑みてなされたものであり、サポートバーの安定した配置を可能にしたキャビネットを提供することを課題としている。
【課題を解決するための手段】
【０００５】
本願発明は、上記の課題を解決するために、第１に、キャビネット本体の天板を形成するカウンターの前面に対向してサポートバーが横設されたキャビネットにおいて、サポートバーに対して上下に回動自在としたロック装置がサポートバーとカウンターとの間に介設され、ロック装置はカウンターの前面に当接可能な当接部を有し、ロック装置を横に倒した時、当接部がカウンターの前面に当接し、サポートバーとカウンターとの間で押圧されて、サポートバーがロックされ、ロック装置を起こすと、当接部がカウンターの前面に接触せず、サポートバーのロックが解除されることを特徴としている。
【０００６】
本願発明は、第２に、当接部が弾性を有していることを特徴としている。
【発明の効果】
【０００７】
本願の第１の発明によれば、サポートバーとカウンターとの間に介設されたロック装置の当接部がカウンターの前面に当接し、サポートバーとカウンターとの間で押圧されることにより、サポートバーはロックされ、サポートバーをキャビネット本体に対して安定に配置することができる。サポートバーの脱落や横滑りは発生しない。サポートバーのロックとその解除は、ロック装置の回動という簡便な操作で実現する。
【０００８】
本願の第２の発明によれば、当接部は弾性を有するため、カウンターの前面に圧接することができ、より大きな力でサポートバーをロックすることができる。また、カウンター前部の出代がキャビネットごとに異なっても、寸法差を吸収することができ、対応容易となる。しかも、弾性はクッションとしても発現し、サポートバーに人が急激にもたれかかってもその時の圧力を吸収し、人に硬い感じを与えない。また、ロックとその解除を繰り返し行ってもカウンターの前面に傷がつくことはない。
【発明を実施するための最良の形態】
【０００９】
図１は、本願発明のキャビネットの一実施形態を示した斜視図である。
【００１０】
図１に示したキャビネットは厨房装置として適用されている。
【００１１】
前方に引き出し、後方に収めることのできる引き出し１を複数備えたキャビネット本体２の上端に人造大理石などから形成されたカウンター３が配設され、天板を形成している。カウンター３には、シンク４や電磁調理器などの調理器５が組み込まれ、シンク４の後方側部にカラン６が取り付けられている。そして、サポートバー７が、厨房装置の上端部前方に横設され、カウンター３の前面に対向している。
【００１２】
サポートバー７は、以下の通り、キャビネット本体２に取り付け、取り外しが自在とされている。
【００１３】
図２は、図１に示した厨房装置のサポートバー周辺を示した要部斜視図であり、図３（ａ）（ｂ）（ｃ）は、それぞれ、図２のＡ−Ａ部の断面図である。
【００１４】
図２および図３（ａ）に示したように、カウンター３の前端縁部の直下でキャビネット本体２の上端前面部に、左右方向にのびるレール部材８が設けられている。レール部材８には前方に開口する係合溝９が形成されている。係合溝９は、前後方向にのびる基部溝９ａと、基部溝９ａの奥側の一端から斜め上方に立ち上がる立ち上がり溝９ｂとから形成され、側面視で略Ｌ字状の形状を有している。
【００１５】
厨房装置は、図３（ａ）に示したように、レール部材８に沿ってスライド可能であり、また、係合可能でもあるスライド部材１０を備えてもいる。
【００１６】
スライド部材１０は、側面視で略逆Ｔ字状の形状を有し、レール部材８の係合溝９に嵌まり込んで係合する係合部１１と、サポートバー７固定用の固定部１２ａ、１２ｂから形成されている。係合部１１は、前後方向にのび、レール部材８に形成された係合溝９の基部溝９ａの下面に載置可能な基部１１ａと、基部１１ａの奥側の一端から斜め上方に立ち上がり、係合溝９の立ち上がり溝９ｂに係合可能な立ち上がり部１１ｂとから形成され、側面視で略Ｌ字状の形状を有している。このようなスライド部材１０は、係合部１１を係合溝９に挿入することにより、レール部材８に沿って左右方向にスライドさせることができる。また、立ち上がり部１１ｂが基部溝９ａを通過して立ち上がり溝９ｂまで到達することにより、スライド部材１０はレール部材８と係合する。この係合は解除可能であり、このため、スライド部材１０の固定部１２ａ、１２ｂに固定されたサポートバー７は、キャビネット本体２に取り付けおよび取り外しが自在となっている。
【００１７】
サポートバー７をキャビネット本体２から取り外す際には、図３（ａ）に示した取付状態から図３（ｂ）に示したように、サポートバー７とともにスライド部材１０を図中に示した矢印方向に持ち上げ、回動させる。この状態で図３（ｃ）に示したように、サポートバー７とともにスライド部材１０を図中に示した矢印方向に引き抜く。サポートバー７は、キャビネット本体２から取り外される。
【００１８】
サポートバー７をキャビネット本体２に取り付ける際には、図３（ｃ）に示した取外状態から図３（ｂ）に示したように、スライド部材１０の係合部１１をレール部材８の係合溝９に挿入する。この状態では、スライド部材１０はレール部材８に沿って左右方向にスライド可能であり、所望の位置にサポートバー７を配置することができる。そして、サポートバー７を上から下に回動させる。すると、図３（ａ）に示したように、立ち上がり部１１ｂが立ち上がり溝９ｂに係合するとともに、基部１１ａが基部溝９ａの下面に載り、サポートバー７とスライド部材１０の自重によって係合部１１の係合溝９への係合が維持され、サポートバー７はキャビネット本体２に取り付けられる。
【００１９】
なお、スライド部材１０は、サポートバー７の左右の両端部付近に固定部１２ａ、１２ｂを介して固定することができる。また、レール部材８は、引き出し１の前板上端に設けられるライン取っ手を利用し、引き出し１の前板上端に固定することができる。
【００２０】
そして、図１に示した厨房装置では、ロック装置１３がサポートバー７とカウンター３との間に介設されている。
【００２１】
図４（ａ）（ｂ）は、それぞれ、ロック装置周辺を示した要部斜視図である。
【００２２】
ロック装置１３は、サポートバー７に対して上下に回動自在とされている。また、ロック装置１３はカウンター３寄りに当接部１４を有し、当接部１４の後端部がカウンター３の前面３ａに当接可能となっている。ロック装置１３が、図４（ａ）に示したように、起きた状態では、当接部１４はカウンター３の前面３ａに接触しない。この状態がロック装置１３のロック解除に相当し、この状態では、サポートバー７はリジッドに固定されていない。サポートバー７の取り外し、左右方向の移動が可能である。
【００２３】
一方、ロック装置１３を下方に回動させ、図４（ｂ）に示したように、横に倒すと、当接部１４がカウンター３の前面３ａに当接する。この時、当接部１４は、サポートバー７とカウンター３との間で押圧されるため、サポートバー７は移動不能となる。この状態がサポートバー７のロックである。ロックされたサポートバー７は、キャビネット本体２にリジッドに固定され、所望の位置に安定に配置される。サポートバー７の脱落や横滑りは発生しない。
【００２４】
このようなサポートバー７のロックとその解除は、ロック装置１３の上下の回動という簡便な操作で実現する。
【００２５】
図５は、ロック装置の具体的な形態を示した断面図である。
【００２６】
ロック装置１３は、断面ひしゃく形の形状を有するアーム部１５を有し、アーム部１５においてひしゃくの柄の部分に相当する部分にシャフト１６が設けられ、ロック装置１３は、サポートバー７をビス１７により固定するスライド部材１０の固定部１２ｂに回動自在に接続されている。このため、ロック装置１３は、シャフト１６を回動の中心として垂直面内を回動することができる。当接部１４は、アーム部１５においてカウンター３側に突出する部分に設けられている。
【００２７】
図５に示したロック装置１３では、当接部１４は、アーム部１５とは別部材として設けられ、アーム部１５に嵌着されている。当接部１４は、弾性を有する材料、たとえば発泡ゴムなどの軟質材料から形成されている。当接部１４がこのように弾性を有する場合、すなわち、弾性体の場合、サポートバー７をロックする際に、カウンター３の前面３ａに圧接することができ、より大きな力でサポートバー７をロックすることができる。また、カウンター３の前部の出代がキャビネットごとに異なっても、寸法差を吸収することができ、対応容易となる。しかも、弾性はクッションとしても発現するため、サポートバー７に人が急激にもたれかかってもその時の圧力を吸収し、人に硬い感じを与えることはない。そして、ロックとその解除を繰り返し行ってもカウンター３の前面３ａに傷がつくことはない
また、ロック装置１３は、図５に示したように、スライド部材１０に対して取り付けることによって、サポートバー７に取り付けのための加工を施す必要がなく、既設のサポートバー７にも適用可能となる。この場合、ロック装置１３は、スライド部材１０の配設に対応してサポートバー７の左右の端部に設けることができる。ロック装置１３は、サポートバー７の左右の端部の少なくとも一方に配設することにより、サポートバー７をロックすることができる。
【図面の簡単な説明】
【００２８】
【図１】本願発明のキャビネットの一実施形態を示した斜視図である。
【図２】図１に示した厨房装置のサポートバー周辺を示した要部斜視図である。
【図３】（ａ）（ｂ）（ｃ）は、それぞれ、図２のＡ−Ａ部の断面図である。
【図４】（ａ）（ｂ）は、それぞれ、ロック装置周辺を示した要部斜視図である。
【図５】ロック装置の具体的な形態を示した断面図である。
【符号の説明】
【００２９】
１    引き出し
２    キャビネット本体
３    カウンター
３ａ    前面
４    シンク
５    調理器
６    カラン
７    サポートバー
８    レール部材
９    係合溝
９ａ    基部溝
９ｂ    立ち上がり溝
１０    スライド部材
１１    係合部
１１ａ    基部
１１ｂ    立ち上がり部
１２ａ、１２ｂ    固定部
１３    ロック装置
１４    当接部
１５    アーム部
１６    シャフト
１７    ビス
【図１】
0004725788.tif 000002
【図２】
0004725788.tif 000003
【図３】
0004725788.tif 000004
【図４】
0004725788.tif 000005
【図５】
0004725788.tif 000006